(57)【要約】【課題】公害煙の発生という問題のない材料を用い、しかもエアコン室内機側のドレン排出口に対する接続を容易に行なえるようにしたドレンホースを提供する。【解決手段】ドレンホース本体部１はポリオレフィン系樹脂により全長に亘って連続する波状断面で可撓性を有するように作られ、このドレンホース本体部１の一端部においてエアコン室内機側のドレン排出口を取り付けるための接続用受け口４が一体に形成され、ドレンホース本体部１の他端部には延長用のホースへの接続用差し口６が一体に形成され、接続用受け口４は内面が雌ねじ状で外面が雄ねじ状となるように形成されていて、接続用受け口４の内面の雌ねじ部８に天然ゴムあるいはゴム系エラストマーからなるパッキン７がねじ込まれて取り付けられ、接続用受け口４の外面の雄ねじ部１０にポリオレフィン系樹脂により作られ内面に雌ねじ部１１を有するソケット９を螺合させた。【選択図】        図３
2004317013.tif 000002
【特許請求の範囲】
【請求項１】
ドレンホース本体部はポリオレフィン系樹脂により全長に亘って連続する波状断面で可撓性を有するように作られ、またこのドレンホース本体部の一端部においてエアコン室内機側のドレン排出口を取り付けるための接続用受け口が一体に形成され、またドレンホース本体部の他端部には延長用のホースへの接続用差し口が一体に形成され、前記接続用受け口は内面が雌ねじ状で外面が雄ねじ状となるように形成されていて、接続用受け口の内面の雌ねじ部に天然ゴムあるいはゴム系エラストマーからなるパッキンがねじ込まれて取り付けられ、接続用受け口の外面の雄ねじ部にポリオレフィン系樹脂により作られ内面に雌ねじ部を有するソケットを螺合させ、前記一端の接続用受け口および他端の接続用差し口を除いてドレンホース本体部の他の部分は長さ方向全長に亘って断熱体により覆われ、ドレン排出口の外面がドレンホース本体部の一端の接続用受け口の内側のパッキンの内面に圧接するように前記一端の接続用受け口をドレン排出口に外嵌させるとともに、前記接続用差し口を延長用のホースに接続させるように構成したことを特徴とするエアコン用ドレンホース。
【発明の詳細な説明】
【０００１】
【発明の属する技術分野】
本発明はエアコン用ドレンホースに関するものである。
【０００２】
【従来の技術】
従来、エアコンの室内機には室内機の運転により発生するドレン水を排出するドレン排出口が設けられており、このドレン排出口に室内の壁を貫通するドレンホースの一端を繋ぎ、室外から突出するドレンホースの他端に延長用のホースが繋がれている。つまり、エアコン室内機側のドレン排出口と延長用のホースとの間に室内の壁を貫通するドレンホースが介在され、このドレンホースの一端をエアコン室内機側のドレン排出口に被さるように嵌合させ、ドレンホースの他端を延長用のホースの一端に差し込むことによって、エアコン室内機の運転により発生するドレン水を延長用のホースの他端から排出するようになっている。
【０００３】
このようなドレン水の排出のために使用されるドレンホースは塩化ビニル製が主流を占めていたが、塩化ビニルは廃棄焼却処理する際の公害煙の発生という問題があることから、公害煙の発生という問題を回避するポリオレフィン系樹脂のような材料の使用が望まれてきた。そこで、ポリオレフィン系樹脂により作られたドレンホースとソケットを接着剤により接続したものが考えられているが、共にポリオレフィン系樹脂からなるドレンホースとソケットは強固に接着させることは困難で水漏れが発生するという惧れがある。
【０００４】
【発明が解決しようとする課題】
本発明はこのような課題を解決するもので、公害煙の発生という問題のない材料を用い、しかもドレンホースとソケットとの接続性を高め、水漏れ問題を回避し、エアコン室内機側のドレン排出口に対する接続を容易に行なえるようにしたドレンホースを提供することを目的とするものである。
【０００５】
【課題を解決するための手段】
この課題を解決するために本発明は、ドレンホース本体部はポリオレフィン系樹脂により全長に亘って連続する波状断面で可撓性を有するように作られ、またこのドレンホース本体部の一端部においてエアコン室内機側のドレン排出口を取り付けるための接続用受け口が一体に形成され、またドレンホース本体部の他端部には延長用のホースへの接続用差し口が一体に形成され、前記接続用受け口は内面が雌ねじ状で外面が雄ねじ状となるように形成されていて、接続用受け口の内面の雌ねじ部に天然ゴムあるいはゴム系エラストマーからなるパッキンがねじ込まれて取り付けられ、接続用受け口の外面の雄ねじ部にポリオレフィン系樹脂により作られ内面に雌ねじ部を有するソケットを螺合させ、前記一端の接続用受け口および他端の接続用差し口を除いてドレンホース本体部の他の部分は長さ方向全長に亘って断熱体により覆われ、ドレン排出口の外面がドレンホース本体部の一端の接続用受け口の内側のパッキンの内面に圧接するように前記一端の接続用受け口をドレン排出口に外嵌させるとともに、前記接続用差し口を延長用のホースに接続させるように構成したことを要旨とするものである。
【０００６】
この構成により、ドレンホース本体部はポリオレフィン系樹脂により作られ、またこのドレンホース本体部の一端の接続用受け口にねじ込まれるパッキンは天然ゴムあるいはゴム系エラストマーにより作られ、ソケットはポリオレフィン系樹脂により作られているので、廃棄焼却処理する際に公害煙の発生という問題がなくなり、ドレンホース本体部の接続用受け口とソケットとの接続をねじ込み式にすることにより、ドレンホース本体部の接続用受け口とソケットとの接続性を高め、水漏れ問題の軽減と組み立て作業性を向上させることができる。また、ドレン排出口の外面はドレンホース本体部の一端の接続用受け口の内側のパッキンの内面に圧接するように接続されるので、ドレンホース側とエアコン室内機のドレン排出口との密着性が良くなり、接続を容易に行なうことができて、接続口がドレン排出口に対して外れにくくなる。
【０００７】
【発明の実施の形態】
以下、本発明の一実施の形態について、図面に基づいて説明する。
図１〜図４において、１はポリプロピレン、ポリエチレン、ポリスチレンなどのポリオレフィン系樹脂を材料に用いて両端を除く全長に亘って連続する波状断面に形成された可撓性のドレンホース本体部で、このドレンホース本体部１の一端部にはエアコン室内機２側のドレン排出口３を取り付けるための接続用受け口４が一体に形成されており、ドレンホース本体部１の他端部には延長用のホース５への接続用差し口６が一体に形成されている。前記接続用受け口４は内面が雌ねじ状で外面が雄ねじ状となるように形成されている。７はこの接続用受け口４の内面の雌ねじ部８にねじ込まれて取り付けられる天然ゴムあるいはゴム系エラストマーからなるパッキンであり、内面が平滑状に形成されている。９は前記接続用受け口４の外面の雄ねじ部１０に螺合する雌ねじ部１１を内面に有するソケットで、ポリプロピレン、ポリエチレン、ポリスチレンなどのポリオレフィン系樹脂を材料に用いて作られており、このソケット９を接続用受け口４の外面に螺合させた状態において先端は接続用受け口４の先端より外方に突出するように構成されている。ドレンホース本体部１は一端の接続用受け口４および他端の接続用差し口６を除いて他の部分は長さ方向全長に亘って発泡材からなる筒状の断熱体１２により覆われている。
【０００８】
以上のように構成されたエアコン用ドレンホースは前記ドレンホース本体部１の一端の接続用受け口４をエアコン室内機２側のドレン排出口３に外嵌させて接続するとともに、ドレンホースを室内の壁１３を貫通させ、室外に突出するドレンホース本体部１の他端の接続用差し口６を延長用のホース５の一端に差し込むことによって、エアコン室内機の運転により発生するドレン水を延長用のホース５の他端から排出できるようになる。なお、ドレン排出口３の外面はドレンホース本体部１の一端の接続用受け口４の内側のパッキン７の内面に圧接するようになる。
【０００９】
【発明の効果】
以上のように本発明によれば、ドレンホース本体部はポリオレフィン系樹脂により作られ、またこのドレンホース本体部の一端の接続用受け口にねじ込まれるパッキンは天然ゴムあるいはゴム系エラストマーにより作られ、ソケットはポリオレフィン系樹脂により作られているので、廃棄焼却処理する際に公害煙の発生という問題がなくなり、ドレンホース本体部の接続用受け口とソケットとの接続をねじ込み式にすることにより、ドレンホース本体部の接続用受け口とソケットとの接続性を高め、水漏れ問題の軽減と組み立て作業性を向上させることができる。また、ドレン排出口の外面はドレンホース本体部の一端の接続用受け口の内側のパッキンの内面に圧接するように接続されるので、ドレンホース側とエアコン室内機のドレン排出口との密着性が良くなり、接続を容易に行なうことができて、接続口がドレン排出口に対して外れにくくなる。
【図面の簡単な説明】
【図１】本発明の一実施の形態におけるエアコン用ドレンホースの一部切り欠き分解斜視図である。
【図２】同エアコン用ドレンホースの斜視図である。
【図３】同エアコン用ドレンホースの断面図である。
【図４】同エアコン用ドレンホースの使用状態を示す一部切り欠き側面図である。
【符号の説明】
１    ドレンホース本体部
２    エアコン室内機
３    ドレン排出口
４    接続用受け口
５    延長用のホース
６    接続用差し口
７    パッキン
８    雌ねじ部
９    ソケット
１０    雄ねじ部
１１    雌ねじ部
１２    断熱体
【図１】
2004317013.tif 000003
【図２】
2004317013.tif 000004
【図３】
2004317013.tif 000005
【図４】
2004317013.tif 000006